(57)【要約】【課題】録画装置が保存する送信可能解像度を上回る高精細画像を、接続先のテレビジョン装置で表示可能にする。【解決手段】録画装置１０は、保存する高精細画像をテレビジョン装置３０で表示できると判断した場合、高精細画像をＨＤＭＩケーブルＫ１でテレビジョン装置３０へ送信できるかを判断する。高精細画像の画素数が送信可能解像度を上回り、そのままでは送信できないと判断すれば、録画装置１０は、送信できるサイズに高精細画像を分割して分割画像を生成すると共に、各分割画像の高精細画像における位置を示す位置情報を生成し、分割画像および位置情報をテレビジョン装置３０へ送信する。テレビジョン装置３０は、送信されてきた分割画像を位置情報に基づき結合して元の高精細画像を復元し、復元した高精細画像を表示する。【選択図】図２
2009130449.tif 000002
【特許請求の範囲】
【請求項１】
画像送信装置が接続先の表示装置へ画像を送信し、前記表示装置は送信されてきた画像を表示する画像表示方法において、
前記表示装置は、
最大表示解像度を前記画像送信装置へ送信し、
前記画像送信装置は、
前記表示装置から送信されてきた最大表示解像度と、表示対象の画像の画素数とを比較し、
比較の結果、最大表示解像度が画素数以上である場合、画素数と、前記表示装置との接続に係る規格で規定された送信可能解像度とを比較し、
比較の結果、画素数が送信可能解像度を上回る場合、表示対象の画像を、画素数が送信可能解像度以下となる複数の分割画像に分割し、
各分割画像の元の画像における位置を示す位置情報を生成し、
複数の分割画像および位置情報を前記表示装置へ送信し、
前記表示装置は、
複数の分割画像および位置情報を受信した場合、位置情報に基づいて複数の分割画像を配置結合して元の画像を復元し、
復元した画像を表示することを特徴とする画像表示方法。
【請求項２】
表示装置および画像送信装置が接続してあり、前記画像送信装置が前記表示装置へ画像を送信して、前記表示装置で画像を表示する画像表示システムにおいて、
前記表示装置は、
最大表示解像度を前記画像送信装置へ送信する手段を備え、
前記画像送信装置は、
前記表示装置から送信されてきた最大表示解像度と、表示対象の画像の画素数とを比較する第１比較手段と、
第１比較手段による比較の結果、最大表示解像度が画素数以上である場合、画素数と、前記表示装置との接続に係る規格で規定された送信可能解像度とを比較する第２比較手段と、
第２比較手段による比較の結果、画素数が送信可能解像度を上回る場合、表示対象の画像を、画素数が送信可能解像度以下となる複数の分割画像に分割する画像分割手段と、
各分割画像の元の画像における位置を示す位置情報を生成する位置情報生成手段と、
複数の分割画像および位置情報を前記表示装置へ送信する手段と
を備え、
前記表示装置は、
複数の分割画像および位置情報を受信した場合、位置情報に基づいて複数の分割画像を配置結合して元の画像を復元する手段と、
復元した画像を表示する手段と
を備えることを特徴とする画像表示システム。
【請求項３】
接続先の外部表示装置へ画像を送信する画像送信装置において、
外部表示装置から送信されてきた最大表示解像度と、送信対象の画像の画素数とを比較する第１比較手段と、
第１比較手段による比較の結果、最大表示解像度が画素数以上である場合、画素数と、接続に係る規格で規定された送信可能解像度とを比較する第２比較手段と、
第２比較手段による比較の結果、画素数が送信可能解像度を上回る場合、送信対象の画像を、画素数が送信可能解像度以下となる複数の分割画像に分割する画像分割手段と、
各分割画像の元の画像における位置を示す位置情報を生成する位置情報生成手段と、
複数の分割画像および位置情報を接続先へ送信する手段と
を備えることを特徴とする画像送信装置。
【請求項４】
送信対象となる画像の水平方向の画素数に対して、水平方向の送信可能解像度で除算を行う水平方向除算手段と、
送信対象となる画像の垂直方向の画素数に対して、垂直方向の送信可能解像度で除算を行う垂直方向除算手段とを備え、
前記画像分割手段は、前記水平方向除算手段の除算により得た数値で画像の水平方向を分割すると共に、前記垂直方向除算手段の除算により得た数値で画像の垂直方向を分割するようにしてある請求項３に記載の画像送信装置。
【請求項５】
送信対象となる画像の水平方向の画素数に対して、水平方向の送信可能解像度で除算を行う水平方向除算手段と、
送信対象となる画像の垂直方向の画素数に対して、垂直方向の送信可能解像度で除算を行う垂直方向除算手段と、
前記水平方向除算手段の除算により得た数値が小数点以下の数を含む場合、小数点以下の切上を行う水平方向切上手段と、
前記垂直方向除算手段の除算により得た数値が小数点以下の数を含む場合、小数点以下の切上を行う垂直方向切上手段とを備え、
前記画像分割手段は、前記水平方向切上手段により得た数値で画像の水平方向を分割すると共に、前記垂直方向切上手段により得た数値で画像の垂直方向を分割するようにしてある請求項３に記載の画像送信装置。
【請求項６】
接続先の外部の装置から送信されてきた画像の表示を行う表示装置において、
接続先へ最大表示解像度を送信する手段と、
接続先から送信されてきた複数の分割画像および位置情報を受信した場合、受信した位置情報に基づいて複数の分割画像を配置結合して画像を復元する手段と、
復元した画像を表示する手段と
を備えることを特徴とする表示装置。
【発明の詳細な説明】
【技術分野】
【０００１】
本発明は、画像送信装置に接続された表示装置で、画像送信装置から送信されてきた高精細画像を表示する場合、両装置の接続規格に関する送信可能解像度が表示対象となる画像の画素数を下回る場合でも、高精細画像を送信して表示装置で表示できるようにした画像表示方法、画像表示システム、画像送信装置、および表示装置に関する。
【背景技術】
【０００２】
従来、画像記憶装置（録画装置など）と、表示装置（テレビジョン装置など）を接続し、画像記憶装置が記憶する画像（静止画）を表示装置へ送信して、表示装置で画像を表示できるようにしたものが多数存在している。例えば、大記憶容量のハードディスク装置を記憶媒体として内蔵する録画装置に、デジタルカメラで撮像した多数の撮像画像（静止画）を保存しておき、保存した撮像画像を大画面の薄型テレビジョン装置（液晶テレビジョン装置など）で鑑賞して楽しむことが可能になっている。
【０００３】
録画装置とテレビジョン装置との接続は、一般的な接続ケーブル（Ｓ映像ケーブル、Ｄ−コンポーネント変換ケーブル、Ｄ端子ケーブル）の他に、近時では映像および音声等のコンテンツデータを非圧縮で伝送できると共に、コンテンツデータ以外の各種制御信号も伝送して接続機器同士が相互に相手の機種を認識できるようなインテリジェント機能も具備した接続ケーブルが適用されることがある。このようなインテリジェント機能に対応した接続規格としては、ＨＤＭＩ（High-Definition Multimedia Interface）、IEEE（Institute of Electrical and Electronics Engineers Inc.）1394などがある。
【０００４】
なお、下記の特許文献１では、計４つの記憶装置と、計４つの表示装置とをそれぞれ対応するように共通バスで接続し、高精細画像空間を間引いて４つのサブ画像空間に分割した画像データを各記憶装置にそれぞれ蓄積した後、蓄積したサブ画像空間の画像データを各記憶装置に対応する表示装置へ転送して、各表示装置で画像を表示することが記されている。
【特許文献１】特開平８−１１５０７４号公報
【発明の開示】
【発明が解決しようとする課題】
【０００５】
昨今のデジタルカメラは、ＣＣＤまたはＣＭＯＳ等の撮像素子に高解像度のものが適用されており、例えば、水平画素数が７６８０画素、垂直画素数が４３２０画素の高精細画像（静止画）の撮像にも対応した機種が存在する。また、昨今の録画装置は、上述したように大容量の記憶媒体を具備するので、デジタルカメラで撮像した高精細画像を多数記憶できる十分な記憶容量を有している。さらに、近時の表示装置の中には、高精細画像の表示にも対応可能なものも発表されており、例えば、水平画素数が７６８０画素、垂直画素数が４３２０画素の高精細画像の表示にも対応し得る表示パネル（液晶パネル）を具備する表示装置が存在する。
【０００６】
一方、録画装置および表示装置を接続する規格において、例えばＨＤＭＩでは、最大で水平画素数が１９２０画素、垂直画素数が１０８０画素の画像しか送信できないので、上述したようにデジタルカメラ、録画装置、および表示装置の三者が折角、高精細画像（例えば７６８０×４３２０の画像）に対応していても、元の解像度のままで録画装置から表示装置へ画像を送信できない。そのため、録画装置に記憶した撮像画像（高精細画像）を大画面で表示するには、元の高精細画像をスケーリングフィルターなどの処理により画素数を落としてから表示装置へ送信して表示する必要があるので、元の高精細な画素数で撮像画像を大画面の表示装置で閲覧できないと云う問題がある。
【０００７】
なお、下記の特許文献では、高精細画像を分割する数と同じ数の記憶装置および表示装置が必要となるので、全体的な構成が大がかりとなってコストが高くなり、また、分割した各画像を表示する際に、分割した各画像間の位置的なズレを防止するのか困難になる。
【０００８】
本発明は、斯かる問題に鑑みてなされたものであり、録画装置などの画像送信装置が保存する高精細画像を、そのままの解像度で、表示装置で表示できるようにした画像表示方法、画像表示システム、画像送信装置、および表示装置を提供することを目的とする。
【課題を解決するための手段】
【０００９】
上記課題を解決するために本発明に係る画像表示方法は、画像送信装置が接続先の表示装置へ画像を送信し、前記表示装置は送信されてきた画像を表示する画像表示方法において、前記表示装置は、最大表示解像度を前記画像送信装置へ送信し、前記画像送信装置は、前記表示装置から送信されてきた最大表示解像度と、表示対象の画像の画素数とを比較し、比較の結果、最大表示解像度が画素数以上である場合、画素数と、前記表示装置との接続に係る規格で規定された送信可能解像度とを比較し、比較の結果、画素数が送信可能解像度を上回る場合、表示対象の画像を、画素数が送信可能解像度以下となる複数の分割画像に分割し、各分割画像の元の画像における位置を示す位置情報を生成し、複数の分割画像および位置情報を前記表示装置へ送信し、前記表示装置は、複数の分割画像および位置情報を受信した場合、位置情報に基づいて複数の分割画像を配置結合して元の画像を復元し、復元した画像を表示することを特徴とする。
【００１０】
また、本発明に係る画像表示システムは、表示装置および画像送信装置が接続してあり、前記画像送信装置が前記表示装置へ画像を送信して、前記表示装置で画像を表示する画像表示システムにおいて、前記表示装置は、最大表示解像度を前記画像送信装置へ送信する手段を備え、前記画像送信装置は、前記表示装置から送信されてきた最大表示解像度と、表示対象の画像の画素数とを比較する第１比較手段と、第１比較手段による比較の結果、最大表示解像度が画素数以上である場合、画素数と、前記表示装置との接続に係る規格で規定された送信可能解像度とを比較する第２比較手段と、第２比較手段による比較の結果、画素数が送信可能解像度を上回る場合、表示対象の画像を、画素数が送信可能解像度以下となる複数の分割画像に分割する画像分割手段と、各分割画像の元の画像における位置を示す位置情報を生成する位置情報生成手段と、複数の分割画像および位置情報を前記表示装置へ送信する手段とを備え、前記表示装置は、複数の分割画像および位置情報を受信した場合、位置情報に基づいて複数の分割画像を配置結合して元の画像を復元する手段と、復元した画像を表示する手段とを備えることを特徴とする。
【００１１】
さらに、本発明に係る画像送信装置は、接続先の外部表示装置へ画像を送信する画像送信装置において、外部表示装置から送信されてきた最大表示解像度と、送信対象の画像の画素数とを比較する第１比較手段と、第１比較手段による比較の結果、最大表示解像度が画素数以上である場合、画素数と、接続に係る規格で規定された送信可能解像度とを比較する第２比較手段と、第２比較手段による比較の結果、画素数が送信可能解像度を上回る場合、送信対象の画像を、画素数が送信可能解像度以下となる複数の分割画像に分割する画像分割手段と、各分割画像の元の画像における位置を示す位置情報を生成する位置情報生成手段と、複数の分割画像および位置情報を接続先へ送信する手段とを備えることを特徴とする。
【００１２】
さらにまた、本発明に係る画像表示装置は、送信対象となる画像の水平方向の画素数に対して、水平方向の送信可能解像度で除算を行う水平方向除算手段と、送信対象となる画像の垂直方向の画素数に対して、垂直方向の送信可能解像度で除算を行う垂直方向除算手段とを備え、前記画像分割手段は、前記水平方向除算手段の除算により得た数値で画像の水平方向を分割すると共に、前記垂直方向除算手段の除算により得た数値で画像の垂直方向を分割するようにしてあることを特徴とする。
【００１３】
また、本発明に係る画像送信装置は、送信対象となる画像の水平方向の画素数に対して、水平方向の送信可能解像度で除算を行う水平方向除算手段と、送信対象となる画像の垂直方向の画素数に対して、垂直方向の送信可能解像度で除算を行う垂直方向除算手段と、前記水平方向除算手段の除算により得た数値が小数点以下の数を含む場合、小数点以下の切上を行う水平方向切上手段と、前記垂直方向除算手段の除算により得た数値が小数点以下の数を含む場合、小数点以下の切上を行う垂直方向切上手段とを備え、前記画像分割手段は、前記水平方向切上手段により得た数値で画像の水平方向を分割すると共に、前記垂直方向切上手段により得た数値で画像の垂直方向を分割するようにしてあることを特徴とする。
【００１４】
さらに、本発明に係る表示装置は、接続先の外部の装置から送信されてきた画像の表示を行う表示装置において、接続先へ最大表示解像度を送信する手段と、接続先から送信されてきた複数の分割画像および位置情報を受信した場合、受信した位置情報に基づいて複数の分割画像を配置結合して画像を復元する手段と、復元した画像を表示する手段とを備えることを特徴とする。
【００１５】
本発明にあっては、表示装置の最大表示解像度が、画像の画素数以上であれば、オリジナル画質で画像を表示可能となるので、次に画像を送信できるかを確認するため、画素数が、画像送信装置および表示装置の接続に関する規格の送信可能解像度を上回るかを比較する。画素数が、送信可能解像度を上回れば、そのままの状態では画像を送信できないので、画像送信装置は、送信できるように元の画像を分割した複数の分割画像および元の画像における各分割画像の位置を示す位置情報を表示装置へ送信し、表示装置は、受信した位置情報に基づき複数の分割画像を配置結合して元の画像を復元し、復元した元の画像を表示することを行う。
【００１６】
その結果、画像送信装置および表示装置の接続に係る規格の送信可能解像度が、表示対象となる画像の画素数より小さくても、画像送信装置および表示装置が上述した各処理を行うことで、画像品質を劣化させることなく、元の画素品質で画像を表示できるようになる。
【００１７】
また、本発明にあっては、垂直方向および水平方向の画素数のそれぞれに対して、垂直方向および水平方向の送信可能解像度で除算を行い、垂直方向および水平方向の除算に基づく数の乗算により得た数値で、画像の分割を行うので、規則的に画像分割の処理が行われるようになる。なお、除算で得た数値による分割は、できるだけ各分割画像のサイズが均等となるように分割する方が、各分割画像の送信に要する処理を同程度で行えると共に、分割された画像も結合しやすくなり、一連の各処理の効率化を図れる。
【００１８】
さらに、本発明にあっては、垂直方向および水平方向の除算で、小数点以下の端数が出れば、小数点以下の切り上げを行った数値で分割を行うので、画素数および送信可能解像度が、どのような数値であっても、整数で分割できるようになり、画像分割に係る処理の効率化を図れる。
【発明の効果】
【００１９】
本発明にあっては、表示装置の最大表示解像度が画素数以上であり、且つ画素数が送信可能解像度を上回れば、画像送信装置は、元の画像を分割した分割画像および元の画像における各分割画像の位置を示す位置情報を送信すると共に、表示装置は、位置情報に基づき複数の分割画像を結合して元の画像を復元して表示するので、両装置の接続に係る規格が元の画像をそのままの状態で送信できなくても、画像品質を劣化させることなく、表示装置で元の画像を表示できる。
【００２０】
また、本発明にあっては、垂直方向および水平方向の画素数のそれぞれに対して、垂直方向および水平方向の送信可能解像度で除算を行い、垂直方向および水平方向の除算に基づく数の乗算により得た数値で、画像の分割を行うので、分割処理を規則的に行うことができ、分割処理の効率化を図れる。
さらに、本発明にあっては、垂直方向および水平方向の除算で、小数点以下の端数が出れば、小数点以下の切り上げを行った数値で画像を分割するので、規則的な画像の分割処理を確実に行える。
【発明を実施するための最良の形態】
【００２１】
図１は、本発明の実施形態に係る画像表示システム１の全体的な構成を示している。本実施形態の画像表示システム１は、録画装置１０（画像送信装置に相当）およびテレビジョン装置３０（表示装置に相当）をＨＤＭＩ規格に基づくＨＤＭＩケーブルＫ１で接続したものである。また、録画装置１０は、IEEE1394ケーブルＫ２を介してデジタルカメラＣ（外部機器に相当）と接続可能になっており、画像表示システム１は、デジタルカメラＣで撮像した画像（静止画）を一旦、録画装置１０に保存し、保存した撮像画像をテレビジョン装置３０へ送信してテレビジョン装置３０で表示できるようになっている。なお、デジタルカメラＣ等の外部機器は、画像表示システム１には含まれず、単にテレビジョン装置３０で表示する画像の取得元となる機器に該当する。
【００２２】
本実施形態では、デジタルカメラＣの撮像画像の画素数が４０９６×３０７２（水平方向の画素数×垂直方向の画素数）であり、テレビジョン装置３０の筐体３０ａの前面に配置される表示パネル３５の最大表示解像度は、７６８０×４３２０（水平解像度×垂直解像度）であるため、テレビジョン装置３０は、デジタルカメラＣで撮像された高精細な撮像画像を、撮像された品質で表示できる性能を具備している。しかし、録画装置１０とテレビジョン装置３０とを接続するＨＤＭＩケーブルＫ１が送信できる画像の解像度の上限（送信可能解像度）は、１９２０×１０８０（水平方向の画素数×垂直方向の画素数）になっている。そのため、元の画質のままでは、デジタルカメラＣの撮像画像（高精細画像）をテレビジョン装置３０へ送信できないが、本発明では、画素数を落とすことなくテレビジョン装置３０で元の画像品質を確保して表示できるようにしたことが特徴になっている。
【００２３】
図２は、本実施形態の画像表示システム１を構成する録画装置１０およびテレビジョン装置３０の主要な内部構成を示すブロック図である。録画装置１０は、外部機器接続インタフェース１１、モニタ接続インタフェース１２、ＨＤＤ装置１３、制御部１６、およびメモリ１７を内部バス１８で接続しており、また、制御部１６には、録画装置本体に設けた操作部１４およびリモコン装置２０から発せられる操作信号を含む赤外光のリモコン受光部１５を接続し、ユーザからの操作指示を制御部１６へ伝えられるようにしている。
【００２４】
録画装置１０の外部機器接続インタフェース１１は、IEEE1394に応じた接続インタフェースであり、IEEE1394に対応した接続端子を有する外部機器を、IEEE1394ケーブルＫ２を用いて接続し、外部機器から送られてくるコンテンツデータ（画像データ、動画データ等）を受信する。また、外部機器接続インタフェース１１は、受信したコンテンツデータを制御部１６の指示に従って保存先（例えば、ＨＤＤ装置１３）へ内部バス１８を通じて送る処理を行う。本実施形態の場合、外部機器接続インタフェース１１は、図１に示すIEEE1394に対応したデジタルカメラＣと接続されて、デジタルカメラＣから送られてくる高精細の撮像画像（コンテンツデータ）を受信し、制御部１６の指示に従って受信した高精細画像をＨＤＤ装置１３へ送る処理を行う。
【００２５】
録画装置１０のモニタ接続インタフェース１２は、ＨＤＭＩに応じた接続インタフェースであり、ＨＤＭＩケーブルＫ１で接続されたテレビジョン装置３０に対し、各種信号、情報の送受処理行うと共に、テレビジョン装置３０で表示出力される画像などのコンテンツデータを制御部１６の指示に従ってテレビジョン装置３０へ送信する処理も行う。なお、モニタ接続インタフェース１２は、接続先のテレビジョン装置３０から送信されてきた信号を受信すると、内部バス１８を通じて、その信号を制御部１６へ送る処理を行い、本実施形態では、テレビジョン装置３０から、電源がオンされた旨を通知する信号、表示できる最大表示解像度を通知する情報などを受信することになる。
【００２６】
ＨＤＤ装置１３は、大容量の記憶媒体であり、画像、音声などの各種コンテンツを記憶できるようになっている。ＨＤＤ装置１３で記憶するコンテンツの具体的な種類としては、図２では示していないチューナ装置で受信されたテレビジョン放送の放送番組のコンテンツ、図２では示していないＬＡＮ用の通信インタフェース（10BASE-T、100BASE-T等）で受信されるインターネット等の広域ネットワークを通じて配信されるコンテンツ（インターネットテレビジョン放送、ＩＰマルチキャスト放送、配信動画、サイトページ等）、および上述した外部機器接続インタフェース１１で受信される外部機器から送られてくる撮像画像等のコンテンツなどがある。なお、図２では、デジタルカメラＣで撮像された高精細画像を記憶した状態のＨＤＤ装置１３を示している。
【００２７】
また、メモリ１７は、制御部１６が行う処理に伴うデータ、信号、ファイル等を一時的に保存すると共に、制御部１６の処理用のワークエリアとして使用される記憶手段に相当している。
【００２８】
制御部１６は、録画装置１０の全体的な制御を行うものであり、本実施形態では、特にＨＤＤ装置１３に記憶されているデジタルカメラＣの高精細画像をモニタ接続インタフェース１２から送信するときに行う制御処理の内容に特徴がある。制御部１６は、不揮発性の内部メモリ１６ａを内蔵しており、この内部メモリ１６ａに、制御部１６が行う処理内容を規定したプログラムが記憶されていると共に、接続先のテレビジョン装置３０から送られてきて、モニタ接続インタフェース１２で受信する各種情報（最大表示解像度など）も記憶する。なお、最大表示解像度は、接続先のテレビジョン装置３０と初めて接続された場合に、テレビジョン装置３０から送られてくるものである（詳細は後述）。
【００２９】
制御部１６が行う各種処理の中で、本発明の特徴であるデジタルカメラＣの高精細画像（ＨＤＤ装置１３に記憶されている画像）をモニタ接続インタフェース１２からテレビジョン装置３０へ送信するときの制御処理について説明する。なお、この説明では、ＨＤＤ装置１３にデジタルカメラＣの高精細画像（４０９６×３０７２）が既に記憶されているものとする。
【００３０】
この処理は、操作部１４またはリモコン装置２０により、ＨＤＤ装置１３に記憶されているデジタルカメラＣの高精細画像を、録画装置１０の接続先であるテレビジョン装置３０で表示する旨の操作指示をユーザから受け付けて、その受け付けた操作指示が制御部１６に伝えられたことにより開始する。制御部１６は、上記の操作指示が伝えられると、先ず第１比較手段として、内部メモリ１６ａで記憶する最大表示解像度と、上記の操作指示でユーザにより指定されたＨＤＤ装置１３に記憶された高精細画像（表示対象の画像）の画素数を比較する処理を行う。
【００３１】
比較の結果、最大表示解像度が画素数を下回れば、録画装置１０の接続先となる表示装置は、高精細画像本来の画像品質で表示できるスペックを有していないので、制御部１６は、最大表示解像度に収まるように画像の画素を間引いて表示できるようにした画像を生成する制御処理を行う。
【００３２】
また、比較の結果、最大表示解像度が画素数以上であれば、録画装置１０の接続先となる表示装置は、高精細画像本来の画像品質で表示できるスペックを有していると判断できる。図１等に示す本実施形態では、表示装置であるテレビジョン装置３０の最大表示解像度が７６８０×４３２０であり、表示対象の高精細画像の画素数は４０９６×３０７２であるので、最大表示解像度が画素数以上になる関係が成立している。
【００３３】
最大表示解像度が画素数以上になることを検出すると、制御部１６は次に第２比較手段として、表示対象の画像をモニタ接続インタフェース１２の送信規格に係るＨＤＭＩで送信できるか否かを比較する。詳しくは、表示対象となる画像の画素数と、ＨＤＭＩの送信可能解像度を制御部１６は比較し、画素数が送信可能解像度以下であれば、送信可能なので、表示対象の画像をモニタ接続インタフェース１２から、低解像度画像を接続先へ送信する処理を行う。
【００３４】
一方、比較の結果、画素数が送信可能解像度を上回る場合、オリジナルの画素数で表示対象の画像をモニタ画像インタフェース１２から送信できないので、制御部１６は、表示対象の画像を、ＨＤＭＩで送信できるように分割して複数の分割画像を生成する処理を行う。詳しい分割の仕方として、分割画像の画素数が送信可能解像度以下になるように、制御部１６は、送信対象となる画像の水平方向の画素数を、水平方向の送信可能解像度で除算すると共に、垂直方向の画素数を、垂直方向の送信可能解像度で除算し、それから水平方向の除算で得た数値で画像の水平方向を分割すると共に、垂直方向の除算で得た数値で画像の垂直方向を分割して、ＨＤＭＩで送信可能な複数の分割画像を生成する。
【００３５】
また、上述した除算で小数点以下の端数が出る場合、制御部１６は、小数点以下を切り上げる処理を行う。例えば、制御部１６は、水平方向の画素数を、水平方向の送信可能解像度で除算して得た数値が小数点以下の端数を含むと、小数点以下の数を切り上げた数値を求めると共に、垂直方向の画素数を、垂直方向の送信可能解像度で除算して得た数値が小数点以下の端数を含むと、小数点以下の数を切り上げた数値を求める。そして、制御部１６は、このように小数点以下の数を切り上げた数値で、上記と同様に水平方向および垂直方向を分割してＨＤＭＩで送信可能な複数の分割画像を生成する。なお、水平方向または垂直方向のいずれか一方の除算で小数点以下の端数が生じれば、小数点以下の端数が出た方向だけに、小数点以下の切り上げを行うことになる。
【００３６】
さらに、制御部１６は、生成した各分割画像のそれぞれが、元の画像の中で、どのような箇所に位置するかを示す位置情報を生成する処理も行う。本実施形態において制御部１６は、元の画像の左上の角側を１番目の箇所と規定し、左端から右端の方向へ「１−１」、「１−２」・・・と云うように番号を付した位置情報を生成していく。また、右上の角側までいくと、次に制御部１６は、左端の上から２段目の行においても、上記と同様に「２−１」「２−２」・・・と云うように番号を付した位置情報を生成していき、最後に元の画像の右下の角側を最後の番号の箇所となるように規定している。
【００３７】
そして、制御部１６は、上述したようにして生成した位置情報を、その位置情報が表す番号に応じた箇所の分割画像と組み合わせた送信単位データを作成し、作成した送信単位データをモニタ接続インタフェース１２から、ＨＤＭＩケーブルＫ１を通じてテレビジョン装置３０へ順次送信する制御を行う。なお、作成される送信単位データは、ＨＤＭＩの送信規格で、１回の送信単位に応じたデータ形式になっている。このような送信対象となる画像分割に関する制御部１６の一連の処理を、図３〜図５に示す本実施形態に基づいた一例で説明する。
【００３８】
図３（ａ）は、ＨＤＤ装置１３に記憶されている表示対象となる高精細画像４０を示している。高精細画像４０は、水平方向（Ｘ方向）に４０９６画素、垂直方向に３０７２画素を有している。なお、高精細画像４０は、横長で台形状の帯形模様を上下対称となるように表した画像内容になっている。
【００３９】
また、図３（ｂ）は、ＨＤＭＩの送信可能解像度で分割する際の境界を示した高精細画像４０を示している。ＨＤＭＩの水平方向の送信可能解像度は１９２０であるため、高精細画像４０の水平方向の４０９６画素を、１９２０（水平方向の送信可能解像度）で除算を行うと、「２．１３３・・・」となり、小数点以下の端数が生じるため、小数点以下を切り上げた数値の「３」で高精細画像４０の水平方向は分割されている。なお、図３（ｂ）では、できるだけＨＤＭＩの規格に応じた送信可能解像度に合わせるようにするため、左側と真ん中の画素数を１９２０画素にすると共に、右側の余りが２５６画素になるように、高精細画像４０は分割されている。
【００４０】
また、ＨＤＭＩの垂直方向の送信可能解像度は１０８０であるため、高精細画像４０の垂直方向の３０７２画素を、１０８０（垂直方向の送信可能解像度）で除算を行うと、「２．８４４・・・」となり、小数点以下の端数が生じるため、小数点以下を切り上げた数値の「３」で高精細画像４０の垂直方向が分割されている。なお、垂直方向でも、できるだけＨＤＭＩの規格に応じた送信可能解像度に合わせるようにするため、上側と真ん中の画素数を１０８０画素にすると共に、下側の余りが９１２画素になるように、高精細画像４０は分割されている。
【００４１】
さらに、上述した分割において、分割した箇所を示す番号として、左上の角から右上の角へ「１−１」、「１−２」、「１−３」の数値が付せられ、左真ん中の行から右真ん中の行へ「２−１」、「２−２」、「２−３」の数値が付せられ、左下の角から右下の角へ「３−１」、「３−２」、「３−３」の数値が付せられる。なお、各数値「１−１」、「１−２」等は、図３（ｂ）において便宜的に示したものであり、画像内容として含まれるものではない（図４でも同様）。
【００４２】
図４は、図３（ｂ）に示す境界で高精細画像４０が分割されることで生成された計９個の分割画像５１〜５９を示している。なお、図４では、これらの各分割画像には、元の高精細画像４０における位置を示す番号（「１−１」、「１−２」等）も示されている。
【００４３】
図５は、図４に示す各分割画像（第１分割画像５１〜第９分割画像５９）と、各分割画像に対応する位置情報（第１位置情報〜第９位置情報）とを組み合わせた送信単位データ（第１送信単位データ６１〜第９送信単位データ６９）を模式的に示したものである。第１送信単位データ６１は、図４に示す第１分割画像５１に応じた画像内容と、番号「１−１」を表した第１位置情報とが対応するように組み合わさったデータ構造になっている。また、第２送信単位データ６２も、図４に示す第２分割画像５２に応じた画像内容と、番号「１−２」を表した第２位置情報とが対応するように組み合わさったデータ構造になっている。以下、第３単位データ６３〜第９単位データ６９も、図４に示す第３分割画像５３〜第９分割画像５９に応じた画像内容と、番号「１−３」を表した第３位置情報〜番号「３−３」を表した第９位置情報とが対応するように組み合わさったデータ構造になっている。
【００４４】
次に、図２に基づいて表示装置であるテレビジョン装置３０について説明する。本実施形態のテレビジョン装置３０は、本発明に関係する部分として、外部接続インタフェース３１、表示処理部３４、メモリ３２、および表示制御部３３を内部バス３６で接続している。また、テレビジョン装置３０は、表示処理部３４に大画面の表示パネル３５（液晶パネル）を接続していると共に、表示制御部３３にはリモコン受光部３６、操作部３７を接続している。なお、図２では示していないが、テレビジョン装置３０は、上述したもの以外に、テレビジョン放送の受信チューナ、音声出力処理部および他の外部入力端子等も具備している。
【００４５】
外部接続インタフェース３１は、録画装置１０のモニタ接続インタフェース１２と同一の接続規格であるＨＤＭＩに対応したインタフェースであり、録画装置１０からＨＤＭＩケーブルＫ１を通じて送られてくる画像などのコンテンツデータを受信する一方、各種信号および情報等を表示制御部３３の制御に従って送信する処理などを行う。なお、外部接続インタフェース３１は、はじめてＨＤＭＩケーブルＫ１が接続されると、接続された旨を表示制御部３３へ伝える処理を行う。また、外部インタフェース３１は、ＨＤＭＩケーブルＫ１を通じて画像を受信すると、受信した画像を表示処理部３４へ内部バス３６を通じて送る処理を行う。
【００４６】
表示処理部３４は、表示パネル３５に画像を表示するための処理を行うものであり、表示用の画像を一時的に蓄えるための画像メモリ３４ａを内蔵しており、外部接続インタフェース３１で受信された画像は、表示処理部３４の画像メモリ３４ａに保存されるようになっている。本実施形態では、図４に示すような録画装置１０で分割された複数の分割画像５１〜５９は、画像メモリ３４ａに保存されてから、表示制御部３３の制御処理により図３（ａ）に示すように元の高精細画像４０に復元されてから、表示パネル３５に表示出力される。
【００４７】
メモリ３２は、表示制御部３３の処理に伴うデータ、信号、情報等を一時的に保存し、表示制御部３３の処理に関するワークエリアとして使用されている。さらに、表示制御部３３は、テレビジョン装置３０の全体的な制御処理を行うものであり、リモコン受光部３６および操作部３７から送られる操作信号の内容に応じた制御を行う。なお、リモコン受光部３６は、録画装置１０と共通のリモコン装置２０から発光される赤外光を受光して、赤外光に含まれる操作信号を表示制御部３３へ伝えるようになっている。そのため、ユーザは、テレビジョン装置３０のリモコン受光部３６へリモコン装置２０を向けた状態で、テレビジョン装置３０用の操作を行えば、共通のリモコン装置２０でテレビジョン装置３０の遠隔操作を行える。なお、操作部３７は、テレビジョン装置３０の本体に設けられたものであり、複数の操作キーを具備してユーザからの操作指示を受け付ける。
【００４８】
また、表示制御部３３は、図示しない内部メモリに表示パネル３５で表示できる最大の表示解像度（たとえば、水平解像度７６８０×垂直解像度４３２０）を予め記憶しており、外部接続インタフェース３１から、はじめてＨＤＭＩケーブルＫ１が接続された旨が伝えられると、内部メモリに記憶している最大表示解像度を読み出して、外部接続インタフェース３１から接続先へ送信する制御処理を行う。
【００４９】
さらに、表示制御部３３は、リモコン装置２０または操作部３７で、外部接続インタフェース３１をコンテンツの入力元として選択する入力選択操作の内容が伝えられると、外部接続インタフェース３１で受信した画像のコンテンツデータを表示処理部３４の画像メモリ３４ａへ送るように制御を行う。それから、表示制御部３３は、画像メモリ３４ａで一時的に保存した画像のコンテンツデータが表示可能かを判断し、表示可能と判断すれば、その画像のデータ形式に応じた表示処理を表示処理部３４に行わせる。
【００５０】
また、表示制御部３３は画像メモリ３４ａに保存された画像のコンテンツデータが、図５に示すような分割画像と位置情報とを組み合わせた送信単位データに応じたデータ構造であることを検出すれば、画像メモリ３４ａに保存されている各送信単位データに含まれる分割画像を、各位置情報に基づき結合して、元の画像に復元する制御処理を行う。本実施形態の表示制御部３３は、分割画像の配置箇所を表した配置マップを用いて分割画像の結合の処理を行う。なお、配置マップ自体は、表示制御部３３の図示しない内部メモリに記憶されているものとする。
【００５１】
図６は、分割画像の配置箇所を表した配置マップ７０を示している。配置マップ７０は、水平方向（Ｘ方向）および垂直方向（Ｙ方向）で形成される直交座標に格子状の矩形を区画したものであり、各区画に位置情報の内容に応じた区画番号（「１−１」、「１−２」等）を付している。配置マップ７０は、原点０側の上段において、Ｘ軸の値が大きくなる方向へ「１−１」、「１−２」、「１−３」・・・「１−ｎ」と云う区画番号を付しており、Ｙ軸方向における二段目の行では「２−１」、「２−２」、「２−３」・・・「２−ｎ」と云う区画番号を付し、さらにＹ軸方向における三段目の行では「３−１」、「３−２」、「３−３」・・・「３−ｎ」と云う区画番号を付し、最後の区画には「Ｎ−ｎ」と云う区画番号を付している（Ｎ、ｎはともに整数を表す）。
【００５２】
表示制御部３３は、図６の配置マップ７０の各区画に、その区画の区画番号と同じ番号を含む位置情報に対応した分割画像を順次配置する処理を行う。たとえば、図５に示す第１送信単位データ６１に含まれる第１位置情報は「１−１」であるので、図６に示す区画番号が「１−１」の区画に、第１送信単位データ６１に含まれる第１分割画像５１を配置する処理を表示制御部３３は行う。同様に、表示制御部３３は、区画番号「１−２」の区画に、第２送信単位データの「１−２」の第２位置情報に組み合わされた第２分割画像５２を配置する。以降、表示制御部３３は、第３送信単位データ６３〜第９送信単位データ６９に対しても同様の処理を行って、各分割画像５１〜５９を図３（ｂ）に示すように配置してから、全体を結合する処理を行い、図３（ａ）に示す元の高精細画像４０を復元する。そして、表示制御部３３は、復元した元の高精細画像４０を表示パネル３５に表示するように表示処理部３４へ制御指示を出す。
【００５３】
図７の第１フローチャートおよび図８の第２フローチャートは、上述した録画装置１０およびテレビジョン装置３０を含む画像表示システム１が行う一連の処理内容（画像表示方法の内容）を整理したものである。各フローチャートに従って画像表示内容の方法の全体の流れを説明すると、先ず図７の第１フローチャートに示すように録画装置１０は、ユーザからＨＤＤ装置１３に保存している画像をテレビジョン装置３０で表示する操作内容の表示指示を受け付けたか否かを判断する（Ｓ１）。
【００５４】
表示指示が無い場合（Ｓ１：ＮＯ）、録画装置１０は表示操作待ちとなり、表示指示を受け付けた場合（Ｓ１：ＹＥＳ）、予め保存しているテレビジョン装置３０の最大表示解像度が、表示対象の画像の画素数以上であるか否かを録画装置１０は比較判断する（Ｓ２）。最大表示解像度が、画素数以上でない場合（Ｓ２：ＮＯ）、録画装置１０は、画素を最大表示解像度に収まるように間引いた表示対象の画像を生成する（Ｓ３）。また、最大表示解像度が、画素数以上である場合（Ｓ２：ＹＥＳ）、録画装置１０は、表示対象の画像の画素数が送信可能解像度を上回るかを比較判断する（Ｓ４）。なお、録画装置１０は、上記のＳ３の段階により生成された画像に対しても、Ｓ４の段階の送信可能解像度との比較判断を行う。
【００５５】
画素数が送信可能解像度を上回る場合（Ｓ４：ＹＥＳ）、録画装置１０は、送信可能解像度以下となるように複数の分割画像を生成するために画像を分割し（Ｓ５）、生成した各分割画像の元の画像における位置を示す位置情報を生成する（Ｓ６）。そして、録画装置１０は、各分割画像、および各々の分割画像の位置を示す位置情報を夫々対応付けてテレビジョン装置３０へ送信する（Ｓ７）。なお、画素数が送信可能解像度を上回らない場合（Ｓ４：ＮＯ）、録画装置１０は、分割することなく表示対象の画像をテレビジョン装置３０へ送信する（Ｓ７）。
【００５６】
また、図８の第２フローチャートは、テレビジョン装置３０において、出力対象のコンテンツの入力元として外部接続インタフェース３１が選択された状態での処理を示しており、テレビジョン装置３０は、外部接続インタフェース３１でコンテンツのデータを複数受信したか否かを判断する（Ｓ１０）。複数のデータを受信していない場合（Ｓ１０：ＮＯ）、テレビジョン装置３０は、複数のデータの受信待ちとなり、複数のデータを受信した場合（Ｓ１０：ＹＥＳ）、テレビジョン装置３０は、受信した各データが、図５に示すような分割画像と位置情報とが組み合わさった送信単位データであるか否かをデータ構造から検出する（Ｓ１１）。
【００５７】
受信した各データが、送信単位データであることを検出すると（Ｓ１１：ＹＥＳ）、表示装置１０は、各データに含まれる位置情報に基づいて各データに含まれる複数の分割画像を配置結合して元の画像を復元し（Ｓ１２）、復元した元の画像を表示パネル３５に表示する（Ｓ１３）。なお、受信した各データが、送信単位データでないことを検出すると（Ｓ１１：ＮＯ）、テレビジョン装置３０は、そのままの状態で受信したデータに係る画像の表示処理を行う（Ｓ１３）。
【００５８】
このように本発明では、録画装置１０とテレビジョン装置３０とを接続する規格の送信可能解像度を超える画像を録画装置１０が保存する場合、テレビジョン装置３０へ送信できるように録画装置１０で元の画像を分割して送信し、テレビジョン装置３０では分割された画像を元の画像に復元して表示するので、両装置を接続する規格の送信可能解像度に縛られることなく、テレビジョン装置３０の最大表示解像度で対応できる範囲の詳細な画像を、画質を落とすことなく表示できる。
【００５９】
なお、本発明は、上述した内容に限定されるものではなく、種々の変形例の適用が可能である。例えば、本発明の画像送信側の装置である画像送信装置としては、録画装置１０以外にも、テレビジョン装置３０のような表示装置と接続可能であり、テレビジョン装置３０へ画像を送信できる機能を有する装置を適用することが可能であり、たとえば、デジタルカメラ自体に上述した録画装置１０の処理内容を行う機能を具備させることも考えられる。本発明の画像の表示側の装置としては、上述したテレビジョン装置３０以外に、パーソナルコンピュータのモニタ装置等を適用することも可能である。
【００６０】
また、画像の分割の仕方は、図３（ｂ）および図４に示す内容に限定されるものではなく、分割画像の画素数（水平画素数および垂直画素数）が、送信可能解像度を下回って送信できるようであれば、分割の仕方は限定されない。たとえば、図３（ａ）に示す高精細画像４０に対して、水平画素数が１０２４および垂直画素数が１０２４である分割画像を計１２個できるように分割することも可能である。このようにすれば、全ての分割画像が同サイズとなるので、送信およびテレビジョン装置３０での結合等の処理を行いやすくなる。また、図３（ｂ）に示す高精細画像４０を、水平方向を「３」、垂直方向を「３」で分割する場合でも、各分割画像ができるだけ同等のサイズになるように分割することも可能であり、このようにすることでも、送信および結合の処理が容易になる。
【図面の簡単な説明】
【００６１】
【図１】本発明の実施形態に係る画像表示システムの全体的な構成を示す概略図である。
【図２】画像表示システムに含まれる録画装置およびテレビジョン装置の主要な内部構造を示すブロック図である。
【図３】（ａ）は元の高精細画像を示す概略図、（ｂ）は高精細画像の分割の境界を示す概略図である。
【図４】高精細画像を分割した分割画像を示す概略図である。
【図５】分割画像と位置情報とを組み合わせた送信単位データのデータ構造を模式的に示した図である。
【図６】分割画像の配置マップを示す概略図である。
【図７】画像表示方法の画像分割に係る一連の処理内容を示す第１フローチャートである。
【図８】画像表示方法の画像結合に係る一連の処理内容を示す第２フローチャートである。
【符号の説明】
【００６２】
１  画像表示システム
１０  録画装置
１１  外部機器接続インタフェース
１２  モニタ接続インタフェース
１３  ＨＤＤ装置
１６  制御部
３０  テレビジョン装置
３１  外部接続インタフェース
３３  表示制御部
３４  表示処理部
３４ａ  画像メモリ
３５  表示パネル
４０  高精細画像
５１〜５９  第１分割画像〜第９分割画像
【図１】
2009130449.tif 000003
【図２】
2009130449.tif 000004
【図３】
2009130449.tif 000005
【図４】
2009130449.tif 000006
【図５】
2009130449.tif 000007
【図６】
2009130449.tif 000008
【図７】
2009130449.tif 000009
【図８】
2009130449.tif 000010